(57)【要約】【課題】  本発明が解決しようとする課題は、現在荷棚を設けたパイプ製の折りたたみ椅子は開発されているものの社会には全く普及していない、そこで普及させるためには、椅子そのものを購入するのではなく、安価で素人でも簡単に取り付けられる折りたたみ椅子用の荷棚装置を提供することである。【解決手段】  上記の課題を解決するために、折りたたみ椅子の座板の下側に、該座板との間に手荷物を載置する区画を確保して配設する荷棚の両側部又は両側部と後部に備えた折りたたみが可能な吊体と、板又は座枠又は座板と座枠への取着手段を備えた折りたたみ椅子用荷棚装置としている。【選択図】図４
2020096981.tif 000002
【特許請求の範囲】
【請求項１】
折りたたみ椅子の座板の下側に、該座板との間に手荷物を載置する区画を確保して配設する荷棚の両側部又は両側部と後部に備えた吊体と、
該吊体を前記座板又は座枠又は座板と座枠への取着手段を備えた折りたたみ椅子用荷棚装置。
【請求項２】
前記吊体は上下両端部又は上下両端部及び両端部の間に回動手段を備え、上端は座板又は座枠側に取着手段を介し、下端は荷棚にそれぞれ係着する請求項１に記載の折りたたみ椅子用荷棚装置。
【請求項３】
前記回動手段はヒンジ若しくは軸着等による請求項１又は２に記載の折りたたみ椅子用荷棚装置。
【発明の詳細な説明】
【技術分野】
【０００１】  本発明は、既存のパイプ製折りたたみ椅子、及び劇場等に設置された座板のみがたためる椅子の、座板の下側に設ける、載置物の落下及び盗難を防止できる荷棚であり、ワンタッチでたためる荷棚装置に関する。
【背景技術】
【０００２】  従来より座板の下側に荷棚が設けられた折りたたみ椅子は数多く出願されているが、これら全ての折りたたみ椅子は、荷棚を組み込んだ状態で制作するもので、既に購入して使用しているパイプ式の折りたたみ椅子や、劇場等に設置されて現在使用している座板のみがたためる椅子に、後から取り付けることを目的とした荷棚装置はなかった。
【先行技術文献】
【特許文献】
【０００３】
【特許文献１】特許第６１５２５１０号
【発明の概要】
【発明が解決しようとする課題】
【０００４】  本発明が解決しようとする課題は、現在荷棚を設けたパイプ製の折りたたみ椅子は開発されているものの市場には全く普及はなく、前記特許文献１においても、折りたたみ椅子の左右前後の脚に直接スライド用の係止具を設けて荷棚を組み込んでいて、この製造方法によると工場での作業となり、折りたたみ椅子と荷棚の両方を同時に販売・購入しなければならないので、自ずと高価なものになってしまう。
この普及を拒む理由として、先ず製造に携わる企業の側では、新たに荷棚付きの折りたたみみ椅子を製造し販売を行うと、既に生産を完了している折りたたみ椅子の多くが在庫となって、大きな損失を招く恐れがあるので、荷棚付きの折りたたみ椅子の生産に踏み切ることができないでいる。
また、需要者の側からすると、特に学校やイベント等を行う業者では、既に多くの折りたたみ椅子を揃えていて、まだ永く使える既存の折りたたみ椅子と荷棚付きの折りたたみ椅子を入れ換えるのは、勿体ないことと、費用が嵩みすぎて不可能に等しいことである。【０００５】  そこで本発明は、荷棚のみを購入して、手元に揃えている既存の折りたたみ椅子に、素人でも容易に取り付けることができ、且つワンタッチにて荷棚もたため、更に安価な折りたたみ椅子用荷棚装置を提供することである。
【課題を解決するための手段】
【０００６】  本発明は、折りたたみ椅子の座板の下側に、座板との間に手荷物を載置する区画を確保て配設する荷棚の両側部又は両側部と後部に備えた吊体と、該吊体を前記座板又は座枠又は座板と座枠への取着手段を備えたものとしている。
【発明の効果】
【０００７】  本発明は、販売前、又は既に購入して使用している折りたたみ椅子や、劇場等の床に固定された座板のみがたためる椅子に、素人でも容易に荷棚を取り付けることができる。
更に、スタッキングチェア等のたたむことができない椅子であっても、座板の裏面の構造次第では、荷棚を取り付けることができる効果があり、講演会、各種イベントなどで本発明の荷棚を使用することによって、手荷物の置き場所が増大する。
また本発明によって、椅子ごと購入するのではなく、荷棚のみを購入すればよいので安価であるから、荷棚付きの折りたたみ椅子の利便性を高めることができる。
【図面の簡単な説明】
【０００８】
【図１】  実施例２を座枠に装着前の斜視図である。
【図２】  図５のｂ−ｂ断面図である。
【図３】  図５の実施例２を座枠に装着後の斜視図である。
【図４】  図７のｃ−ｃ断面図である。
【図５】  本実施例２を座枠に装着して荷棚をたたんだ状態の部分断面正面図である。
【図６】  実施例３の部分断面正面図である。
【図７】  図１０の係着具の部分断面詳細図である。
【図８】  実施例４の部分断面正面図である。
【図９】  実施例５の部分断面詳細図である。
【図１０】  実施例２・３・４・５を折りたたみ椅子に取り付けた状態の正面図である。
【図１１】  実施例６の詳細図である。
【図１２】  実施例７の斜視図である。
【図１３】  図１６の荷棚を中間までたたんだ状態の斜視図である。
【図１４】  図１６の荷棚を完全にたたんだ状態の斜視図である。
【図１５】  本実施例７の荷棚を椅子に取り付けた状態のの正面図である。
【図１６】  図１９のｄ−ｄ断面図である。
【発明を実施するための形態】
【０００９】  本発明の折りたたみ椅子用荷棚装置は、以下に述べる実施例に限定されるものではなく、本発明の技術的思想の範囲内、すなわち同一の作用効果を発揮できる形状及び寸法の範囲内で、適宜変更することができる。
【実施例１】
【００１０】  本発明の実施例１を図１・図２・図３・図４・図５に基づいて詳細に説明する。
先ず図１に示すように、係着具Ｂ２２は、半円樋型の嵌合体Ａ２３に、回動作用によって締めつけ効果を生むロック機構２４が設けられ、更に嵌合体Ａ２３の両端部に側部ヒンジ型吊体２８を係止するための、軸孔２６・２６を設けた支持片２５・２５を形成している。【００１１】  次に図２は図１のｂ−ｂ断面図であって、半円樋型の嵌合体Ａ２３にロック機構２４を軸着していて、係着具Ｂ２２を折りたたみ椅子に取り付けるには、嵌合体Ａ２３を座枠９４に嵌入れた後、ロック機構２４によって座枠９４を締めつけることで、係着具Ｂ２２は座枠９４への取り付けを完了する。
ここでロック機構は、金属成形あるいは樹脂成形ともに、従来の技術を利用する範囲で充分な効果は得られる。【００１２】  次に図３は図１図２に続き、係着具Ｂ２２を座枠に取り付けた状態の斜視図であって、樋型の嵌合体Ａ２３を座枠９４に嵌め入れた後、ロック機構２４によって係着具Ｂ２２を座枠９４に保持されている。
よって、予め係着具Ｂ２２に形成する軸孔２６に、側部ヒンジ型吊体２８を取り付け、つまり側部ヒンジ型吊体に形成する上部のヒンジ部３０の軸体２７を挿入しておくと、係着具Ｂ２２と側部ヒンジ型吊体２８は一体となり、これを左右一対として、荷棚２１に蝶着して荷棚装置としている。
次に図４は、図３のｃ−ｃ断面図であって、係着具Ｂ２２に設けたロック機構２４によって座枠９４を締めつけた状態を表ししている。
次に図５は、本実施例の側部ヒンジ型吊体２８・２８をたたんだ状態を表していて、側部ヒンジ型吊体２８・２８と荷棚２１は、座枠９４・９４の間に収納できるので、複数の折りたたみ椅子を重ねて保管しても荷棚が邪魔になることはない。
【実施例２】
【００１３】  次に本発明の実施例２を、図６・図７に基づいて詳細に説明する。
図６は、係着具Ｃ３２・３２を座枠９４・９４に装着し、荷棚３１を折りたたんだ状態の断面図である。
次に図７は図６の詳細図であって、嵌合体Ｂ３３内に座枠９４を嵌め入れ、この座枠９４を、押圧片３４とネジ部３５と操作部Ａ３６からなる締め付け具によって締め込むことで、係着具Ｃ３２を座枠９４に装着し、更に嵌合体Ｂ３３に（図示なしの）形成する支持片を介して、側部ヒンジ型吊体２８と荷棚３１を連設している。
【実施例３】
【００１４】  次に本発明の実施例３を、図８に基づいて詳細に説明する。
図８のＡ図は本実施例を正面から見た図であって、係着具Ｄ４２・４２と直棒体Ａ４４と直棒体Ｂ４６と操作部Ｂ４８からなる押圧体４９を、左右の座枠９４・９４間に介在させた状態を表している。
次にＢ図は、Ａ図の詳細図であって、左右対象且つ直列状態に構成する直棒体Ａ４４と直棒体Ｂ４６は、左端部に樋型の押圧片４３を設け、且つ逆側に右ネジ部４５を形成する直棒体Ａ４４と、また図示上右端部に樋型の押圧片４３を設け、且つ逆側に左ネジ部４７を形成する直棒体Ｂ４６と、両ネジを形成する長ナットを操作部４８としている。
よって、操作部４８の上側を手前方向に回転させると、互いに逆ネジの作用により、直棒体Ａ４４と直棒体Ｂ４６は互いに外方向に移動をするので、座枠９４・９４間での突き張り作用を生じ、係着具Ｄ４２・４２を座枠９４・９４に装着できる。
【実施例４】
【００１５】  次に本発明の実施例４を、図９に基づいて詳細に説明する。
本実施例は図９に示すように、前述した実施例１・実施例２・実施例３のように係着具の座枠９４への取着手段とは異なり、係着具自体が回動するもので、その基本となる構成と作用を表している。
先ずＡ図は、支持片５３を形成する筒型の係着具Ｅ５２を座枠９４に鞘形に設け、軸着部５４に軸着する側部ヒンジ型吊体２８をたたんだ状態を表していて、支持片５３は座枠９４の右に位置している。
Ｂ図は、側部ヒンジ型吊体２８が吊り下がった状態を表していて、係着具Ｅ５２は約９０度回転している。
また、係着具Ｅ５２を樋型に二分割して合体手段を備えると良い。
次に図１０は、これまでに述べた実施例１・実施例２・実施例３・実施例４に記載する構成を折りたたみ椅子に取り付けて、荷棚を使用できる状態にしたときの正面図である。また荷棚２１・３１・４１・５１をたたむときは、荷棚を矢印の方向に押し上げると、側部ヒンジ形吊体２８は矢印で示すように、中段のヒンジ部が内方向に移動し、後部ヒンジ型吊体２９の中段のヒンジ部は手前方向に移動する。
【実施例５】
【００１６】  次に本発明の実施例５を、図１１に基づいて詳細に説明する。
図１１に示すように、側部ヒンジ型吊体２８に形成する各ヒンジ部の軸巻き部を断面長孔の遊動部５９として、内部に介在する軸体５８を遊動可能にしている。
これにより側部ヒンジ型吊体２８を折りたんだときの長さ調整ができるので、座枠９４・９４の間隔が異なる折りたたみ椅子であっても、荷棚の寸法を変えることなく取り付けることができる。
【実施例６】
【００１７】  次に本発明の実施例６を図１２・図１３・図１４・図１５・図１６に基づいて詳細に説明する。
先ず図１２に示す側部ヒンジ型吊体６２と後部ヒンジ型吊体６３は、下端と中央部と上端をヒンジとするもので、金属製・樹脂製蝶番、または合成樹脂のヒンジ加工等に限定するものではない。
荷棚６１は、両側部に側部ヒンジ型吊体６２の下端を蝶着し、且つ荷棚６１の後部には後部ヒンジ型吊体６３の下端を蝶着し、上端は座板９３側に取り付けるための取着部材Ａ６５にそれぞれ蝶着している。【００１８】  また、側部ヒンジ型吊体６２を設ける箇所は、荷棚６１の両側部の前に１ヵ所ずつ、または前後に２ヵ所、更に前後を兼用するために幅を広くする等の何れの形状でも良く、取着部材Ａ６５を省いて、ヒンジ自体を座板９３又は座枠９４に直に取り付けても良い。
次に、取着部材Ａ６５を座板９３への取り付け手段は、座板の素材が木製、金属製、樹脂製に限ることなく、木ビス、金属用ビス、接着剤、粘着テープ、ボルトナット、その他、そしてこれらの併用も自在である。
また、枠形に図示している取着部材を、より強固に取り付けるために、上面全体を板状にしても良い。
また、取着部材Ａ６５を座板９３に取り着けるとき、図１３に示すように荷棚６１をたたんだ状態でもビス締めができるように、たたんでいる状態で、側部ヒンジ型吊体６２と後部ヒンジ型吊体６３と荷棚６１の、取着部材Ａに設けたビス孔６６と合致する位置にドライバーを差し入れる孔６７を設けると良い。
次に、荷棚６１をたたんだ状態を維持するために、バネ又は磁石等によって荷棚６１を取着部材Ａ６５に引きつける手段を設けると良いし、その他ロック機構を設けることもできる。
更に吊体を蛇腹にすることも実施例としてあり得る。【００１９】  次に図１３は、図１２に記載する荷棚装置を半ばまで折りたたんだ状態を表している。
次に図１４は、図１２に記載する荷棚装置を完全に折りたたんだ状態を表している。
次に図１５は、図１２に記載する本実施例７の荷棚装置を折りたたみ椅子に取り付けて正面から見た状態を表している。
次に図１６は、図１５のｄ−ｄ断面を表している。
尚全ての実施例において、荷棚はワイヤーメッシュ・網等、棚として使用できる材料は全て含む。
【符号の説明】
【００２０】  実施例１
２１：荷棚                    ２２：係着具Ｂ              ２３：嵌合体Ａ
２４：ロック機構              ２５：支持片                ２６：軸孔
２７：軸体                    ２８：側部ヒンジ型吊体      ２９：後部ヒンジ型吊体３０：ヒンジ部
実施例２
３１：荷棚                    ３２：係着具Ｃ              ３３：嵌合体Ｂ
３４：押圧片                  ３５：ネジ部                ３６：操作部Ａ
実施例３
４１：荷棚                    ４２：係着具Ｄ              ４３：押圧片
４４：直棒体Ａ                ４５：右ネジ部              ４６：直棒体Ｂ
４７：左ネジ部                ４８：操作部Ｂ              ４９：押圧体
実施例４
５１：荷棚                    ５２：係着具Ｅ              ５３：支持片
５４：軸着部
実施例５
５８：軸体                    ５９：遊動部
実施例６
６１：荷棚                    ６２：側部ヒンジ型吊体      ６３：後部ヒンジ型吊体６４：ヒンジ部                ６５：取着部材Ａ            ６６：ビス孔
６７：ドライバー用孔
従来の折りたたみ椅子
９０：前脚                    ９１：背もたれ              ９２：後脚
９３：座板                    ９４：座枠                  ９５：脚
９６：背もたれ                ９７：座部                  ９８：肘掛
９９；床
【図１】
2020096981.tif 000003
【図２】
2020096981.tif 000004
【図３】
2020096981.tif 000005
【図４】
2020096981.tif 000006
【図５】
2020096981.tif 000007
【図６】
2020096981.tif 000008
【図７】
2020096981.tif 000009
【図８】
2020096981.tif 000010
【図９】
2020096981.tif 000011
【図１０】
2020096981.tif 000012
【図１１】
2020096981.tif 000013
【図１２】
2020096981.tif 000014
【図１３】
2020096981.tif 000015
【図１４】
2020096981.tif 000016
【図１５】
2020096981.tif 000017
【図１６】
2020096981.tif 000018